(57)【要約】【課題】迷光による影響を防止して、照射光の照射を高精度に実行できる信頼性の高い照明装置、画像ノイズを低減した画像読取装置、および画像形成装置を提供する。【解決手段】照明装置１００は、照射光ＬＳを外部へ照射する光照射面１０１ｓを長さ方向ＤＬに有する棒状の導光部材１０１と、導光部材１０１の端部１０１ｔに対向して配置され導光部材１０１の端部１０１ｔに照射光ＬＳを照射する発光素子１０２とを備える。照明装置１００は、導光部材１０１を保持し光照射面１０１ｓを露出させる保持部材１０５を備え、保持部材１０５の内側１０５ｒの反射率は、保持部材１０５の外側１０５ｂの反射率より高くしてある。【選択図】図１
2010107757.tif 000002
【特許請求の範囲】
【請求項１】
照射光を外部へ照射する光照射面を長さ方向に有する棒状の導光部材と、該導光部材の端部に対向して配置され前記導光部材の前記端部に照射光を照射する発光素子とを備える照明装置であって、
前記導光部材を保持し前記光照射面を露出させる保持部材を備え、
該保持部材の内側の反射率は、前記保持部材の外側の反射率より高くしてあること
を特徴とする照明装置。
【請求項２】
請求項１に記載の照明装置であって、
前記保持部材は、前記長さ方向で前記導光部材に沿って配置され前記光照射面を露出させる形状で前記導光部材を包囲していること
を特徴とする照明装置。
【請求項３】
請求項２に記載の照明装置であって、
前記長さ方向に交差する面での前記導光部材の断面は、矩形状とされて１辺を前記光照射面に対応させてあり、
前記長さ方向に交差する面での前記保持部材の断面は、前記光照射面を露出させたＵ字状としてあること
を特徴とする照明装置。
【請求項４】
請求項１ないし請求項３のいずれか一つに記載の照明装置であって、
前記保持部材の前記外側は、黒色としてあること
を特徴とする照明装置。
【請求項５】
請求項４に記載の照明装置であって、
前記外側の黒色は、塗装膜によって施してあること
を特徴とする照明装置。
【請求項６】
請求項１ないし請求項５のいずれか一つに記載の照明装置であって、
前記導光部材および前記保持部材が構成する光源部は、一対にされて対称に配置されていること
を特徴とする照明装置。
【請求項７】
請求項６に記載の照明装置であって、
一対の前記光源部を相互に連結する連結部と、一対の前記光源部の間で前記長さ方向に形成されたスリット部とを備えること
を特徴とする照明装置。
【請求項８】
請求項１ないし請求項７のいずれか一つに記載の照明装置であって、
前記保持部材は、前記導光部材に密接させてあること
を特徴とする照明装置。
【請求項９】
請求項８に記載の照明装置であって、
前記発光素子は、素子基板に実装され、該素子基板は、放熱板に当接されていること
を特徴とする照明装置。
【請求項１０】
請求項１ないし請求項７のいずれか一つに記載の照明装置であって、
前記保持部材の内側に密接させて配置された反射部材を備え、該反射部材は、前記導光部材に密接させてあること
を特徴とする照明装置。
【請求項１１】
請求項１０に記載の照明装置であって、
前記発光素子は、素子基板に実装され、該素子基板は、放熱板に当接されていること
を特徴とする照明装置。
【請求項１２】
請求項１１に記載の照明装置であって、
前記反射部材は、前記放熱板と一体化されていること
を特徴とする照明装置。
【請求項１３】
請求項９または請求項１１に記載の照明装置であって、
前記保持部材および前記発光素子は、相互に対応させて位置決めされ、前記素子基板に当接された放熱板は、ユニット基台に位置決めされて締結されていること
を特徴とする照明装置。
【請求項１４】
請求項１ないし請求項１３のいずれか一つに記載の照明装置であって、
前記発光素子は、半導体発光素子であること
を特徴とする照明装置。
【請求項１５】
原稿が載置される原稿載置台と、該原稿載置台に対向して配置され照射光を原稿に照射する照明装置と、原稿からの反射光を検出する撮像装置とを備える画像読取装置であって、
前記照明装置は、請求項１ないし請求項１３のいずれか一つに記載の照明装置であること
を特徴とする画像読取装置。
【請求項１６】
請求項１４に記載の画像読取装置であって、
前記導光部材は、前記原稿の垂直面に対して対称に一対として配置されていること
を特徴とする画像読取装置。
【請求項１７】
画像読取装置を備える画像形成装置であって、
前記画像読取装置は、請求項１４または請求項１５に記載の画像読取装置であること
を特徴とする画像形成装置。
【発明の詳細な説明】
【技術分野】
【０００１】
本発明は、導光部材と発光素子とを備える照明装置、このような照明装置を適用した画像読取装置、および画像形成装置に関する。
【背景技術】
【０００２】
複写機やファクシミリは、画像読取装置を備えている。
【０００３】
画像読取装置は、少なくとも、原稿を載置する原稿台ガラスに載置された原稿を読み取るために原稿を照明するハロゲンランプやキセノンランプなどの棒状の光源あるいはＬＥＤ光源を備え、原稿に照射光を照射する構成としてある。
【０００４】
画像読取装置は、さらに、原稿からの反射光の光路を変換する第１ミラーを配置したランプユニットと、ランプユニットからの反射光の光路をさらに変換する第２ミラーと、第２ミラーに対応して光路を変換する第３ミラーと、反射光を結像するレンズと、反射光に応じて結像された原稿データを光電変換する固体撮像装置（ＣＣＤ）で構成されている。
【０００５】
棒状光源あるいはＬＥＤ光源からの照射光によって照射された原稿からの反射光は、棒状光源あるいはＬＥＤ光源を取付けた枠体のスリットを通過して、第１ミラー、第２ミラー、第３ミラー、レンズを介して固体撮像装置（ラインセンサ）に結像され、画像データが電気信号として得られる。
【０００６】
ラインセンサに結像された画像データは、電気信号に変換される。電気信号に変換された画像データは、画像処理される。画像処理としては、画像形成（印刷）が実行される場合、記憶装置などを介してネットワークに接続されたパーソナルコンピュータへ送信される場合などがある。つまり、画像読取装置は、画像データの取得手段として多くの用途に適用されている。
【０００７】
画像読取装置の光源部として、複数個の半導体発光素子（ＬＥＤ：Ｌｉｇｈｔ  Ｅｍｉｔｔｉｎｇ  Ｄｉｏｄｅ）を列設して形成されたＬＥＤアレイを備えたものが提案されている（例えば、特許文献１参照。）。
【０００８】
特許文献１の技術によれば、ＬＥＤアレイからの照射光を反射部材により反射させ、導光板を介して原稿の読取範囲に向けて照射している。この反射部材は、金属、ガラス、合成樹脂製の素材で作られ、高い反射率の材料、例えばアルミニウム材料を用いている。
【特許文献１】特開２００８−１７２５６２号公報
【発明の開示】
【発明が解決しようとする課題】
【０００９】
しかしながら、このような従来技術においては、以下のような課題がある。
【００１０】
高い反射率の材料を適用して反射部材を作成した場合、全面が高い反射率となり、ＬＥＤアレイから発せられた照射光の一部が迷光となり、反射部材で反射され、第１ミラー、第２ミラー、第３ミラーなどを介して固体撮像装置（ラインセンサ）に入射する。
【００１１】
本来の信号光に対してノイズである迷光が個体撮像装置に入力されると、画像データにノイズとして干渉することとなり、読取画像の精度を低下させ、画像形成の精度を低下させることとなる。
【００１２】
本発明はこのような状況に鑑みてなされたものであり、照射光を外部へ照射する光照射面を有する棒状の導光部材と、導光部材の端部に照射光を照射する発光素子とを備える照明装置であって、導光部材を保持し光照射面を露出させる保持部材を備え、保持部材の内側の反射率を、保持部材の外側の反射率より高くすることにより、光照射面から外部へ照射光を効果的に照射し、また、外部へ漏れた迷光が保持部材で反射されることを抑制して迷光による影響を防止することによって、光照射面からの照射光の照射を容易かつ高精度に実行することができ、信頼性の高い照明装置を提供することを目的とする。
【００１３】
また、本発明は、原稿が載置される原稿載置台と、照射光を原稿に照射する照明装置と、原稿からの反射光を検出する撮像装置とを備える画像読取装置であって、照明装置を本発明に係る照明装置とすることにより、照明装置に起因する迷光の影響が少なく原稿の読み取りを高精度に実行し、画像ノイズを低減した画像読取装置を提供することを他の目的とする。
【００１４】
また、本発明は、画像読取装置を備える画像形成装置であって、画像読取装置を本発明に係る画像読取装置とすることにより、読み取り精度が高く、画像形成を高精度に実行し、画像ノイズを低減した画像形成装置を提供することを他の目的とする。
【課題を解決するための手段】
【００１５】
本発明に係る照明装置は、照射光を外部へ照射する光照射面を長さ方向に有する棒状の導光部材と、該導光部材の端部に対向して配置され前記導光部材の前記端部に照射光を照射する発光素子とを備える照明装置であって、前記導光部材を保持し前記光照射面を露出させる保持部材を備え、該保持部材の内側の反射率は、前記保持部材の外側の反射率より高くしてあることを特徴とする。
【００１６】
この構成により、発光素子から保持部材へ照射された照射光を保持部材の内側で反射させて光照射面から外部へ効果的に照射することが可能となり、また、外部へ漏れた迷光が保持部材で反射されることを抑制して迷光による影響を防止することが可能となるので、光照射面からの光の照射を容易かつ高精度に実行することができ、信頼性の高い照明装置とすることができる。
【００１７】
また、本発明に係る照明装置では、前記保持部材は、前記長さ方向で前記導光部材に沿って配置され前記光照射面を露出させる形状で前記導光部材を包囲していることを特徴とする。
【００１８】
この構成により、導光部材に導入された照射光を光照射面から効率よく照射させることが可能となり、光照射面から照射される照射光の光強度を向上させることができ、照射効率の高い照明装置とすることができる。
【００１９】
また、本発明に係る照明装置では、前記長さ方向に交差する面での前記導光部材の断面は、矩形状とされて１辺を前記光照射面に対応させてあり、前記長さ方向に交差する面での前記保持部材の断面は、前記光照射面を露出させたＵ字状としてあることを特徴とする。
【００２０】
この構成により、保持部材による照射光の反射を効果的に実行することが可能となり、光照射面から照射光を効率よく照射することができる。
【００２１】
また、本発明に係る照明装置では、前記保持部材の前記外側は、黒色としてあることを特徴とする。
【００２２】
この構成により、保持部材の外側での迷光の反射を確実に防止することが可能となることから、迷光の発生を抑制した照明装置とすることができる。
【００２３】
また、本発明に係る照明装置では、前記外側の黒色は、塗装膜によって施してあることを特徴とする。
【００２４】
この構成により、保持部材の外側に黒色を容易かつ高精度に施すことが可能となり、生産性および信頼性の高い照明装置とすることができる。
【００２５】
また、本発明に係る照明装置では、前記導光部材および前記保持部材が構成する光源部は、一対にされて対称に配置されていることを特徴とする。
【００２６】
この構成により、光源部からの照射対象領域に対する照射光の均一性を向上させることが可能となり、照射対象領域からの反射光の精度を向上させることができる。
【００２７】
また、本発明に係る照明装置では、一対の前記光源部を相互に連結する連結部と、一対の前記光源部の間で前記長さ方向に形成されたスリット部とを備えることを特徴とする。
【００２８】
この構成により、一対の光源部の位置関係を高精度に画定し、スリット部を介して照射対象領域からの反射光を通過させることが可能となることから、反射光を高精度に検出させることが可能な照明装置とすることができる。
【００２９】
また、本発明に係る照明装置では、前記保持部材は、前記導光部材に密接させてあることを特徴とする。
【００３０】
この構成により、導光部材と保持部材との間での照射光の漏れを防止することが可能となるので、保持部材による反射を効率よく発生させることができる。
【００３１】
また、本発明に係る照明装置では、前記発光素子は、素子基板に実装され、該素子基板は、放熱板に当接されていることを特徴とする。
【００３２】
この構成により、発光素子の放熱性を向上させることが可能となるので、優れた放熱特性を有する照明装置とすることができる。
【００３３】
また、本発明に係る照明装置では、前記保持部材の内側に密接させて配置された反射部材を備え、該反射部材は、前記導光部材に密接させてあることを特徴とする。
【００３４】
この構成により、発光素子から導光部材へ導入された照射光を反射部材で効率よく反射させ、光照射面から照射光を効率よく照射することができる。
【００３５】
また、本発明に係る照明装置では、前記発光素子は、素子基板に実装され、該素子基板は、放熱板に当接されていることを特徴とする。
【００３６】
この構成により、発光素子の放熱性を向上させることが可能となるので、優れた放熱特性を有する照明装置とすることができる。
【００３７】
また、本発明に係る照明装置では、前記反射部材は、前記放熱板と一体化されていることを特徴とする。
【００３８】
この構成により、反射部材によって放熱板の放熱面積を実質的に拡大して放熱板の熱抵抗を低減することが可能となるので、優れた放熱特性を有する照明装置とすることができる。
【００３９】
また、本発明に係る照明装置では、前記保持部材および前記発光素子は、相互に対応させて位置決めされ、前記素子基板に当接された放熱板は、ユニット基台に位置決めされて締結されていることを特徴とする。
【００４０】
この構成により、画像読取装置に適用できる形態のユニット基台に対して、導光部材を高精度に位置決めすることが可能となることから、画像読取装置に適用して高精度に照射光を原稿に対して照射することが可能な照明装置とすることができる。
【００４１】
また、本発明に係る照明装置では、前記発光素子は、半導体発光素子であることを特徴とする。
【００４２】
この構成により、半導体発光素子を適用することから、照射効率の良い照明装置とすることができる。
【００４３】
また、本発明に係る画像読取装置は、原稿が載置される原稿載置台と、該原稿載置台に対向して配置され照射光を原稿に照射する照明装置と、原稿からの反射光を検出する撮像装置とを備える画像読取装置であって、前記照明装置は、本発明に係る照明装置であることを特徴とする。
【００４４】
この構成により、照明装置に起因する迷光の影響が少なく原稿の読み取りを高精度に実行し、画像ノイズを低減した画像読取装置とすることができる。
【００４５】
また、本発明に係る画像読取装置では、前記導光部材は、前記原稿の垂直面に対して対称に一対として配置されていることを特徴とする。
【００４６】
この構成により、読取対象としての原稿に対する照射光を均一化することが可能となり、より高精度に原稿の読み取りが可能な画像読取装置とすることができる。
【００４７】
また、本発明に係る画像形成装置は、前記画像読取装置は、本発明に係る画像読取装置であることを特徴とする。
【００４８】
この構成により、読み取り精度が高く、画像形成を高精度に実行し、画像ノイズを低減した画像形成装置とすることができる。
【発明の効果】
【００４９】
本発明に係る照明装置によれば、照射光を外部へ照射する光照射面を長さ方向に有する棒状の導光部材と、導光部材の端部に対向して配置され導光部材の端部に照射光を照射する発光素子とを備える照明装置であって、導光部材を保持し光照射面を露出させる保持部材を備え、保持部材の内側の反射率は、保持部材の外側の反射率より高くしてあることから、発光素子から保持部材へ照射された照射光を保持部材の内側で反射させて光照射面から外部へ効果的に照射することが可能となり、また、外部へ漏れた迷光が保持部材で反射されることを抑制して迷光による影響を防止することが可能となるので、光照射面からの光の照射を容易かつ高精度に実行することができ、信頼性の高い照明装置とすることができるという効果を奏する。
【００５０】
本発明に係る画像読取装置によれば、原稿が載置される原稿載置台と、原稿載置台に対向して配置され照射光を原稿に照射する照明装置と、原稿からの反射光を検出する撮像装置とを備える画像読取装置であって、照明装置は、本発明に係る照明装置であることから、照明装置に起因する迷光の影響が少なく原稿の読み取りを高精度に実行し、画像ノイズを低減した画像読取装置とすることができるという効果を奏する。
【００５１】
本発明に係る画像形成装置によれば、画像読取装置を備える画像形成装置であって、画像読取装置は、本発明に係る画像読取装置であることから、読み取り精度が高く、画像形成を高精度に実行し、画像ノイズを低減した画像形成装置とすることができるという効果を奏する。
【発明を実施するための最良の形態】
【００５２】
以下、本発明の実施の形態を図面に基づいて説明する。
【００５３】
＜実施の形態１＞
図１ないし図３に基づいて、本実施の形態に係る照明装置について説明する。
【００５４】
図１は、本発明の実施の形態１に係る照明装置の全体構成の概略を示す概略斜視図である。
【００５５】
図２は、本発明の実施の形態１に係る照明装置における導光部材と保持部材が構成する光源部の概略を示す概略斜視図である。
【００５６】
図３は、本発明の実施の形態１に係る照明装置における導光部材と発光素子の配置関係を示す説明図であり、（Ａ）は長さ方向から見た発光素子と導光部材との配置関係を透視的に示す透視側面図、（Ｂ）は（Ａ）の矢符Ｂ−Ｂでの断面の端面を示す端面図である。
【００５７】
本実施の形態に係る照明装置１００は、照射光ＬＳ（図３）を外部へ照射する光照射面１０１ｓを長さ方向ＤＬに有する棒状の導光部材１０１と、導光部材１０１の端部１０１ｔに対向して配置され導光部材１０１の端部１０１ｔに照射光ＬＳを照射する発光素子１０２とを備える。
【００５８】
また、照明装置１００は、導光部材１０１を保持し光照射面１０１ｓを露出させる保持部材１０５を備え、保持部材１０５の内側１０５ｒの反射率は、保持部材１０５の外側１０５ｂの反射率より高くしてある。
【００５９】
したがって、発光素子１０２から保持部材１０５へ照射された照射光ＬＳを保持部材１０５の内側１０５ｒで反射させて光照射面１０１ｓから外部（照射対向領域ＬＳＡ。図３）へ効果的に照射することが可能となり、また、外部へ漏れた迷光ＬＮ（図３）が保持部材１０５で反射されることを抑制して迷光ＬＮによる影響を防止することが可能となるので、光照射面１０１ｓからの照射光ＬＳの照射を容易かつ高精度に実行することができ、信頼性の高い照明装置１００とすることができる。
【００６０】
なお、照明装置１００を画像読取装置２００（実施の形態３参照）に適用した場合は、照射対象領域ＬＳＡは、照射光を照射する対象としての原稿ＭＳ（実施の形態３参照）となる。
【００６１】
本実施の形態に係る照明装置１００は、保持部材１０５の内側１０５ｒに反射特性を持たせて反射率を高くすることが可能である。例えば、内側１０５ｒの表面を鏡面仕上げとし、外側１０５ｂを梨地仕上げとすることによって、内側１０５ｒでの反射率を外側１０５ｂでの反射率より高くすることが可能である。また、鏡面仕上げの代わりに鏡面メッキを施すことも可能である。
【００６２】
なお、導光部材１０１としては、透光性が高く、加工性が容易な、例えばアクリル樹脂、ポリカーボネートなどを適用することが可能である。また、保持部材１０５としては、寸法精度を高く維持できる金属材料（例えばアルミニウムなど）を適用することが可能である。
【００６３】
保持部材１０５を金属材料で構成することによって、内側１０５ｒを容易に鏡面仕上げとすることが可能となり、鏡面仕上げとした場合は、反射部材１０７の形成を省略することができる。また、保持部材１０５として金属材料を適用した場合は、外側１０５ｂに対して黒色処理（実施の形態２参照）を施すことも可能である。
【００６４】
保持部材１０５は、長さ方向ＤＬで導光部材１０１に沿って配置され光照射面１０１ｓを露出させる形状で導光部材１０１を包囲している。したがって、導光部材１０１に導入された照射光ＬＳを光照射面１０１ｓから効率よく照射対向領域ＬＳＡへ照射させることが可能となり、光照射面１０１ｓから照射される照射光ＬＳの光強度を向上させることができ、照射効率の高い照明装置１００とすることができる。
【００６５】
長さ方向ＤＬに交差する面での導光部材１０１の断面（図３（Ａ）で示す側面に対応する。）は、矩形状とされて１辺を光照射面１０１ｓに対応させてあり、長さ方向ＤＬに交差する面での保持部材１０５の断面（図３（Ａ）で示す側面に対応する。）は、光照射面１０１ｓを露出させたＵ字状としてあることが好ましい。この構成により、保持部材１０５による照射光ＬＳの反射を効果的に実行することが可能となり、光照射面１０１ｓから照射光ＬＳを効率よく照射することができる。
【００６６】
保持部材１０５は、導光部材１０１に密接させてあることが好ましい。この構成により、導光部材１０１と保持部材１０５との間での照射光ＬＳの漏れを防止することが可能となるので、保持部材１０５による反射を効率よく発生させることができる。
【００６７】
照明装置１００は、導光部材１０１および保持部材１０５が構成する光源部１００ｓを備え、光源部１００ｓは、一対にされて対称に配置されている。したがって、光源部１００ｓからの照射対象領域ＬＳＡに対する照射光ＬＳの均一性を向上させることが可能となり、照射対象領域ＬＳＡからの反射光ＬＲの精度を向上させることができる。
【００６８】
一対の光源部１００ｓを備える照明装置１００は、一対の光源部１００ｓを相互に連結する連結部１１４と、一対の光源部１００ｓの間で長さ方向ＤＬに形成されたスリット部１１６とを備える。なお、連結部１１４は、端部１０１ｔに対応する位置に形成されている。
【００６９】
したがって、一対の光源部１００ｓの位置関係を高精度に画定し、スリット部１１６を介して照射対象領域ＬＳＡからの反射光ＬＲを通過させることが可能となることから、反射光ＬＲを高精度に検出させることが可能な照明装置１００とすることができる。
【００７０】
発光素子１０２は、素子基板１０３に実装され、素子基板１０３は、放熱板１１０に当接されている。したがって、発光素子１０２の放熱性を向上させることが可能となるので、優れた放熱特性を有する照明装置１００とすることができる。なお、放熱板１１０は、長さ方向ＤＬで素子基板１０３の外側に配置される。
【００７１】
以上の説明では、保持部材１０５の内側１０５ｒの反射率を高くして反射面としてあるとした。つまり、保持部材１０５の内側１０５ｒの反射率を、保持部材１０５の外側１０５ｂの反射率より高くしてある。
【００７２】
なお、図３では、保持部材１０５の内側１０５ｒの反射率を高くする手段として、保持部材１０５が内側１０５ｒに反射部材１０７を備えた状態を示している。
【００７３】
この場合、本実施の形態に係る照明装置１００は、保持部材１０５の内側１０５ｒに密接させて配置された反射部材１０７を備え、反射部材１０７は、導光部材１０１に密接させてある。したがって、発光素子１０２から導光部材１０１へ導入された照射光ＬＳを反射部材１０７で効率よく反射させ、光照射面１０１ｓから照射光ＬＳを効率よく照射することができる。つまり、導光部材１０１と保持部材１０５（内側１０５ｒ）との間で反射部材１０７を挟む構造としてあるから、導光部材１０１、保持部材１０５、反射部材１０７のそれぞれの間で迷光を発生する恐れがない。
【００７４】
反射部材１０７としては、例えば、高い反射率を有する反射部材（反射シート、鏡面仕上げをした金属板（アルミニウム、ＳＵＳなど）を適用することが可能である。つまり、表面での反射が高く高輝度化された板金を、内側１０５ｒに貼り付けることによって形成することができる。
【００７５】
反射部材１０７を金属材料で構成する場合は、保持部材１０５を合成樹脂で構成することが可能である。保持部材１０５を例えば黒色の合成樹脂で形成した場合は、外側１０５ｂでの反射率を容易に低減することが可能となる。
【００７６】
発光素子１０２は、半導体発光素子、具体的には半導体発光ダイオード（ＬＥＤ：Ｌｉｇｈｔ  Ｅｍｉｔｔｉｎｇ  Ｄｉｏｄｅ）とすることによって、低消費電力で高輝度の照射光ＬＳを発光させることが可能となる。
【００７７】
つまり、本実施の形態では、発光素子１０２は、半導体発光素子であることが好ましい。半導体発光素子を適用することから、照射効率の良い照明装置１００とすることができる。
【００７８】
発光素子１０２は、素子基板１０３に実装され、導光部材１０１の端部１０１ｔに対向させて配置されている。また、発光素子１０２による発熱を放熱するために、素子基板１０３には、放熱板１１０が当接されている。なお、放熱板１１０は、長さ方向ＤＬで素子基板１０３の外側に配置される。
【００７９】
つまり、本実施の形態に係る照明装置１００は、発光素子１０２が実装された素子基板１０３と、素子基板１０３に当接された放熱板１１０とを備える。また、放熱板１１０は金属板で構成することが可能であることから、金属板で構成された反射部材１０７と放熱板１１０とは、一体化されていることが好ましい。
【００８０】
この構成により、反射部材１０７によって放熱板１１０の放熱面積を実質的に拡大して放熱板１１０の熱抵抗を低減することが可能となるので、優れた放熱特性を有する照明装置１００とすることができる。
【００８１】
なお、照明装置１００を構成する各部／各部材（光源部１００ｓ、導光部材１０１、発光素子１０２、素子基板１０３、保持部材１０５、反射部材１０７、放熱板１１０、連結部１１４、スリット部１１６）は、適宜に連結され、ユニット基台１２０に対して固定され一体化されている。また、ユニット基台１２０は、例えば、画像読取装置２００（実施の形態３参照）に適用できる形態としてある。
【００８２】
つまり、保持部材１０５および発光素子１０２（素子基板１０３）は、相互に対応させて位置決めされ、素子基板１０３に当接された放熱板１１０は、ユニット基台１２０に位置決めされて締結されている。したがって、画像読取装置２００（実施の形態３参照）に適用できる形態のユニット基台１２０に対して、導光部材１０１を高精度に位置決めすることが可能となることから、画像読取装置２００に適用して高精度に照射光を原稿に対して照射することが可能な照明装置１００とすることができる。
【００８３】
＜実施の形態２＞
図４に基づいて、本実施の形態に係る照明装置について説明する。基本的な構成は実施の形態１で示した照明装置１００と同一であるので、符号を援用し、主に異なる事項について説明する。
【００８４】
図４は、本発明の実施の形態２に係る照明装置における保持部材の状態を示す概略側面図である。
【００８５】
本実施の形態に係る照明装置１００（光源部１００ｓ）では、保持部材１０５の外側１０５ｂは、黒色としてある。したがって、保持部材１０５の外側１０５ｂでの迷光ＬＮの反射を確実に防止することが可能となることから、迷光ＬＮの発生を抑制した照明装置１００とすることができる。
【００８６】
また、外側１０５ｂの黒色は、塗装膜１０９によって施してある。したがって、保持部材１０５の外側１０５ｂに黒色を容易かつ高精度に施すことが可能となり、生産性および信頼性の高い照明装置１００とすることができる。
【００８７】
＜実施の形態３＞
図５ないし図７に基づいて、本実施の形態に係る画像読取装置について説明する。実施の形態１、実施の形態２で示した照明装置１００を適用する事項については、適宜符号を援用して説明を省略することがある。
【００８８】
図５は、本発明の実施の形態３に係る画像読取装置の概略構成を側面から透視した状態として示す透視側面図である。
【００８９】
図６は、本発明の実施の形態３に係る画像読取装置に対する実施の形態１に係る照明装置の取り付け状態の概略を示す概略斜視図である。
【００９０】
図７は、本発明の実施の形態３に係る画像読取装置での照明装置の作用を概念的に説明する概略側面図である。
【００９１】
本実施の形態に係る原稿読取装置２００は、原稿ＭＳを操作（処理）する領域としての原稿操作部２０２と、原稿操作部２０２で操作された原稿ＭＳの画像（画像データ）を読み取る画像データ読取部２０４とを備える。
【００９２】
原稿操作部２０２は、原稿ＭＳを自動的に搬送して画像データを読み取ることが可能である。また、原稿ＭＳを手置きして画像データを読み取ることが可能である。つまり、原稿操作部２０２は、画像の操作モード（原稿読取モード）として、原稿ＭＳの配置状態、搬送状態によってＳＰＦ（シングル・パス・フィーダ）モードおよびプラテンモードの２つのモードでの動作が可能である。なお、原稿読取装置２００は、いずれか一方のみのモードで動作するものであっても良い。
【００９３】
ＳＰＦモードでは、ＳＰＦガラス（シングル・パス・フィーダ・ガラス）２１６に対向させて停止された読取光源ユニット２４０に対して原稿ＭＳがＳＰＦガラス２１６の表面を搬送され通過するとき、読取光源ユニット２４０から原稿に照射した照射光ＬＳが反射して生じる反射光ＬＲを画像信号として取り出す。
【００９４】
プラテンモードでは、プラテンガラス２２０に手置きで載置され静止された原稿ＭＳに対して読取光源ユニット２４０を走査させ、走査に併せて読取光源ユニット２４０から原稿ＭＳに照射した照射光ＬＳが反射して生じる反射光ＬＲを画像信号として取り出す。
【００９５】
原稿操作部２０２は、原稿ＭＳを自動的に搬送するために、原稿ＭＳが載置される原稿導入トレイ２１１と、原稿導入トレイ２１１に載置された原稿ＭＳを原稿搬送経路２１５に導入するピックアップローラ２１２、とを備える。ＳＰＦガラス２１６で画像データを読み取られた原稿ＭＳは、原稿排紙トレイ２１７に排出される。
【００９６】
なお、原稿搬送経路２１５は、自動的に搬送された原稿ＭＳの画像データを読み取るために、画像データ読取部２０４のＳＰＦガラス２１６に対面させて構成されている。また、プラテンガラス２２０に原稿ＭＳが載置された場合は、読取光源ユニット２４０がプラテンガラス２２０に沿って走査する。
【００９７】
つまり、ＳＰＦガラス２１６およびプラテンガラス２２０は、原稿ＭＳに照射される照射光ＬＳを透過させる構成とされ、載置された原稿ＭＳからの反射光ＬＲを取り出すことが可能な原稿載置台として機能する構成としてある。
【００９８】
画像データ読取部２０４は、読取枠体２３０、読取光源ユニット２４０、画像信号生成部２５０を備え、読取枠体２３０は、読取光源ユニット２４０および画像信号生成部２５０を機構的に保持し、読取光源ユニット２４０および画像信号生成部２５０がプラテンガラス２２０に沿って走査することが可能な機構部（不図示）を有する。
【００９９】
読取光源ユニット２４０は、照射光ＬＳを原稿ＭＳに照射する照明装置１００（実施の形態１、実施の形態２参照）と原稿ＭＳからの反射光ＬＲの光路を変換する第１ミラー２４１とを備える。
【０１００】
原稿載置台としてのＳＰＦガラス２１６またはプラテンガラス２２０に載置された原稿ＭＳに読取光源ユニット２４０（照明装置１００）から照射光ＬＳが照射されると、原稿ＭＳからは反射光ＬＲが反射する。第１ミラー２４１で反射光ＬＲの光路を変換して、反射光ＬＲを画像信号生成部２５０へ導入する。
【０１０１】
画像信号生成部２５０に導入された反射光ＬＲは、第２ミラー２５２、第３ミラー２５３で光路を変換され反射光ＬＲを結像させるレンズ２５５を介して固体撮像装置２５８に入力される。ＣＣＤ（電荷結合素子）で構成される固体撮像装置２５８に入力された反射光ＬＲは、光電変換され電気信号としての画像データを生成する。なお、固体撮像装置２５８は、ラインセンサとして形成されている。
【０１０２】
照明装置１００の照射光ＬＳが周囲の部材（例えば、読取枠体２３０などの周辺部材）で反射して生じた迷光ＬＮは、反射率の低い保持部材１０５で吸収することが可能であるので、迷光ＬＮが読取光源ユニット２４０から画像信号生成部２５０に進行して固体撮像装置２５８で検出されることを防止することができる。
【０１０３】
例えば、ハーフトーン画像（グレイ画像）を読み取った場合、迷光ＬＮが高い強度の場合（白原稿を読み取った場合、反射光のレベルが高いことから、迷光ＬＮのレベルも高くなる恐れがある。）など、迷光ＬＮに起因する白筋が発生する。
【０１０４】
しかし、本実施の形態に係る画像読取装置２００では、迷光ＬＮを抑制した照明装置１００を適用することから、迷光ＬＮが画像信号生成部２５０に入射することを防止できるので、画像データに基づいて画像を形成した場合に生じる白スジの発生を防止することができる。
【０１０５】
上述したとおり、本実施の形態に係る画像読取装置２００は、原稿ＭＳが載置される原稿載置台（ＳＰＦガラス２１６／プラテンガラス２２０）と、原稿載置台に対向して配置され照射光ＬＳを原稿ＭＳに照射する照明装置１００と、原稿ＭＳからの反射光ＬＲを検出する固体撮像装置２５８とを備える。
【０１０６】
また、照明装置１００は、実施の形態１、実施の形態２に係る照明装置１００である。したがって、照明装置１００に起因する迷光ＬＮの影響が少なく原稿ＭＳの読み取りを高精度に実行し、画像ノイズを低減した画像読取装置２００とすることができる。
【０１０７】
本実施の形態に係る画像読取装置２００では、導光部材１０１は、原稿ＭＳの垂直面に対して対称に一対として配置されている。したがって、原稿ＭＳに対する照射光ＬＳを均一化することが可能となり、より高精度に原稿ＭＳの読み取りが可能な画像読取装置２００とすることができる。
【０１０８】
＜実施の形態４＞
図８に基づいて、本実施の形態に係る画像形成装置について説明する。なお、実施の形態１ないし実施の形態３で示した照明装置１００、画像読取装置２００を適用する事項については、適宜符号を援用して説明を省略することがある。
【０１０９】
図８は、本発明の実施の形態４に係る画像形成装置の概略構成を側面から透視した状態として示す透視側面図である。
【０１１０】
画像形成装置３００は、周知のとおり、画像データを読み込む画像読取装置２００（実施の形態３参照）と、読み込んだ画像データに基づいて画像を形成する画像形成本体部３０１とを備える。
【０１１１】
画像形成本体部３０１は、周知のとおり、露光ユニット３１０、感光現像ユニット３２０、中間転写ベルトユニット３３０、転写ユニット３４０、定着ユニット３５０、給紙ユニット３６０を備える。
【０１１２】
露光ユニット３１０は、画像データに基づいて、画像データに対応するレーザ光を感光現像ユニット３２０に照射する。感光現像ユニット３２０は、レーザ光に基づいて画像データに対応する静電潜像を形成し、中間転写ベルトユニット３３０に静電潜像を転写して転写画像を形成する。中間転写ベルトユニット３３０は、転写された転写画像を転写ユニット３４０に転写する。転写ユニット３４０は、給紙ユニット３６０から給紙された記録紙に転写画像を転写し、記録紙を定着ユニット３５０へ搬送する。定着ユニット３５０は、記録紙に転写された画像を定着して画像形成を終了する。
【０１１３】
上述したとおり、本実施の形態に係る画像形成装置３００は、実施の形態３で説明した画像読取装置２００を備える。したがって、迷光ＬＮを抑制してあることから、読み取り精度が高く、画像形成を高精度に実行し、画像ノイズを低減した画像形成装置３００とすることができる。
【０１１４】
なお、本実施の形態に係る画像形成装置３００は、カラー画像形成に対応させて、感光現像ユニット３２０は、ブラック（Ｋ）、シアン（Ｃ）、マゼンタ（Ｍ）、イエロー（Ｙ）の各色に対応させて画像読取装置２００、画像形成本体部３０１（感光現像ユニット３２０、中間転写ベルトユニット３３０）を機能させる構成としてある。
【図面の簡単な説明】
【０１１５】
【図１】本発明の実施の形態１に係る照明装置の全体構成の概略を示す概略斜視図である。
【図２】本発明の実施の形態１に係る照明装置における導光部材と保持部材が構成する光源部の概略を示す概略斜視図である。
【図３】本発明の実施の形態１に係る照明装置における導光部材と発光素子の配置関係を示す説明図であり、（Ａ）は長さ方向から見た発光素子と導光部材との配置関係を透視的に示す透視側面図、（Ｂ）は（Ａ）の矢符Ｂ−Ｂでの断面の端面を示す端面図である。
【図４】本発明の実施の形態２に係る照明装置における保持部材の状態を示す概略側面図である。
【図５】本発明の実施の形態３に係る画像読取装置の概略構成を側面から透視した状態として示す透視側面図である。
【図６】本発明の実施の形態３に係る画像読取装置に対する実施の形態１に係る照明装置の取り付け状態の概略を示す概略斜視図である。
【図７】本発明の実施の形態３に係る画像読取装置での照明装置の作用を概念的に説明する概略側面図である。
【図８】本発明の実施の形態４に係る画像形成装置の概略構成を側面から透視した状態として示す透視側面図である。
【符号の説明】
【０１１６】
１００  照明装置
１００ｓ  光源部
１０１  導光部材
１０１ｓ  光照射面
１０１ｔ  端部
１０２  発光素子（半導体発光素子）
１０３  素子基板
１０５  保持部材
１０５ｒ  内側
１０５ｂ  外側
１０７  反射部材
１０９  塗装膜
１１０  放熱板
１１４  連結部
１１６  スリット部
１２０  ユニット基台
２００  画像読取装置
２０２  原稿操作部
２０４  画像データ読取部
２１１  原稿導入トレイ
２１２  ピックアップローラ
２１５  原稿搬送経路
２１６  ＳＰＦガラス（原稿載置台）
２１７  原稿排紙トレイ
２２０  プラテンガラス（原稿載置台）
２３０  読取枠体
２４０  読取光源ユニット
２４１  第１ミラー
２５０  画像信号生成部
２５２  第２ミラー
２５３  第３ミラー
２５５  レンズ
２５８  固体撮像装置
３００  画像形成装置
３０１  画像形成本体部
３１０  露光ユニット：
３２０  感光現像ユニット：
３３０  中間転写ベルトユニット
３４０  転写ユニット
３５０  定着ユニット
３６０  給紙ユニット
ＤＬ  長さ方向
ＬＳ  照射光
ＬＲ  反射光
ＬＮ  迷光
ＬＳＡ  照射対象領域
ＭＳ  原稿
【図１】
2010107757.tif 000003
【図２】
2010107757.tif 000004
【図３】
2010107757.tif 000005
【図４】
2010107757.tif 000006
【図５】
2010107757.tif 000007
【図６】
2010107757.tif 000008
【図７】
2010107757.tif 000009
【図８】
2010107757.tif 000010